(57)【特許請求の範囲】
【請求項１】
上部下実，下部上実，横下実，及び横上実を有する四方合決り構造の外壁板において，
該外壁板は，上記上部下実の前面に，上方から流下してくる雨水を上記外壁板の前方へ導く排水凹陥部を設けてなり，
該排水凹陥部は，上記上部下実の基端部よりも下方まで形成されていることを特徴とする外壁板。
【請求項２】
請求項１において，上記上部下実は，その前面にコーキング材を打設してなり，かつ該コーキング材は，上記排水凹陥部の左右において途切れていることを特徴とする外壁板。
【請求項３】
上部下実，下部上実，横下実，及び横上実を有する四方合決り構造の外壁板を複数用いて，馬乗り目地状に施工してなる外壁施工構造において，
上記外壁板は，上記上部下実の前面に，上方から流下してくる雨水を上記外壁板の前方へ導く排水凹陥部を設けてなり，
かつ，左右に隣り合う外壁板の間に形成される縦目地の下方には，これら左右の外壁板の下側に配設される外壁板の上記排水凹陥部が配置されていることを特徴とする外壁施工構造。
【請求項４】
請求項３において，上記縦目地の下端部には，留め付けシール金具が配設してあり，
上記留め付けシール金具は，上記外壁板の裏側面に当接する基板部と，該基板部から前方へ水平方向に立設された中央水平立設部と，該中央水平立設部の前端から下方へ屈曲した下方屈曲部と，該下方屈曲部の左右において上記中央水平立設部の前端から斜め上方へ屈曲した上方屈曲部と，該上方屈曲部の上端から下方へ屈曲した前板部と，上記中央水平立設部の左右において上記基板部から前方へ水平方向に立設された支承部と，該支承部の前端から上方へ屈曲した上板係止部と，上記支承部の前端から下方へ屈曲した下板係止部と，上記上板係止部の先端から上記下板係止部の先端にかけて垂直方向に連設された連設部とを有し，更に，上記中央水平立設部の左右端部と上記上方屈曲部の上面，及び上記前板部の前面には，弾性材が配設されており，
また，上記留め付けシール金具は，上記基板部を上記外壁板の裏側面に当接させて，胴縁等の下地材に固定されており，
上記留め付けシール金具の下側に配置した上記外壁板は，上辺部を上記留め付けシール金具の下板係止部に係止させ，上側に配置した上記外壁板は，下辺部を上記留め付けシール金具の上記支承部に載置すると共に上記上板係止部に係止させてあり，
また，上記留め付けシール金具の上記弾性材は，上側の上記外壁板の下辺部に密着しており，
かつ，上記縦目地の下端部は，上記留め付けシール金具における上記左右の弾性材の間に配置されていることを特徴とする外壁施工構造。
【請求項５】
請求項４において，上記留め付けシール金具は，上記弾性材を，上記中央水平立設部の上方の基板部にも延設してなり，該弾性材は，上記外壁板の裏側面に密着していることを特徴とする外壁施工構造。
【請求項６】
請求項４又は５において，上記縦目地の上端部には，留め付けストッパー金具が配置されており，該留め付けストッパー金具は，上記外壁板の裏側面に当接する基板部と，該基板部の前方に水平方向に立設された支承部と，該支承部の前端部から斜め上方へ屈曲した上板係止部と，上記支承部の前端部から斜め下方へ屈曲した下板係止部と，上記支承部よりも下方の上記基板部から前方に垂直方向に立設された垂直立設部とを有し，
また，上記留め付けストッパー金具は，上記基板部を上記外壁板の裏側面に当接させて，上記下地材に固定されており，
上記留め付けストッパー金具の下方に配置した上記外壁板は，上辺部を上記留め付けストッパー金具の下板係止部に係止させ，上側に配置した上記外壁板は，下辺部を上記留め付けストッパー金具の上記支承部に載置すると共に上記上板係止部に係止させてあり，
かつ，上記垂直立設部には，下側の外壁板の側端面が当接していることを特徴とする外壁施工構造。
【請求項７】
請求項３〜６のいずれか一項において，上記外壁板は，上記上部下実の前面にコーキング材を打設してなり，かつ該コーキング材は，上記排水凹陥部の左右において途切れていることを特徴とする外壁施工構造。
【請求項８】
請求項３〜７のいずれか一項において，上記外壁板の排水凹陥部は，上記上部下実の基端部よりも下方まで形成されていることを特徴とする外壁施工構造。
【発明の詳細な説明】
【０００１】
【技術分野】
本発明は，四方合決り構造の外壁板，及び該外壁板を馬乗り目地状に施工してなる外壁施工構造に関する。
【０００２】
【従来技術】
従来より，図２２，図２３に示すごとく，複数の四方合決り構造の外壁板８（図２５）を馬乗り目地状に施工してなる外壁施工構造８０がある。
即ち，上記外壁板８は，図２５に示すごとく，上部下実８１０と下部上実８２０と左右に設けた横下実８４０及び横上実８３０とを有する。そして，下側の外壁板８の上部下実８１０に，上側の外壁板８の下部上実８２０を重ね，左側の外壁板８の横下実８４０に右側の外壁板８の横上実８３０を重ねて施工する。そして，上記外壁施工構造８０においては，図２２に示すごとく，左右に隣り合う上記外壁板８の間に形成される縦目地８７は，一直線状に連続せずに，左右の位置が互い違いとなる馬乗り目地状となっている。
【０００３】
上記外壁施工構造８０においては，図２３，図２４に示すごとく，上記縦目地８７の上端部及び下端部に，留め付け金具９を配置して，各外壁板８を胴縁等の下地材３に固定している。
上記留め付け金具９は，図２６に示すごとく，上記外壁板８の裏側面１６に当接する基板部９１と，該基板部９１の前方に水平方向に立設された支承部９２と，該支承部９２の前端部から斜め上方へ屈曲した上板係止部９３と，上記支承部９２の前端部から斜め下方へ屈曲した下板係止部９４と，上記上板係止部９３及び下板係止部９４の各先端部の間に連設された前方平板部９７とを有する。
【０００４】
そして，上記留め付け金具９は，図２３，図２４に示すごとく，上下の外壁板８を下地材３に固定している。即ち，上記留め付け金具９は，下板係止部９４を下側の外壁板８の上辺部８１に係止させ，上記支承部９２により上側の外壁板８を支承すると共に上板係止部９３を上側の外壁板８の下辺部８２に係止させた状態で，ビス４によって下地材３に固定されている。
【０００５】
また，図２３，図２４に示すごとく，上記外壁板８の上部下実８１０及び横下実８４０には，コーキング材８９を打設してある。このコーキング材８９の上から，他の外壁板８の下部上実８２０そして横上実８３０が重なり，上記コーキング材８９を押圧する。これにより，縦目地８７或いは横目地８７０から外壁施工構造８０の内部への漏水を防いでいる。
【０００６】
【解決しようとする課題】
しかしながら，上記外壁施工構造８０には，上記コーキング材８９を打設しているにもかかわらず，以下に示す不具合により，内部への漏水を確実に防ぐことが困難であるという問題がある。この問題につき，図２４，図２７を用いて説明する。
【０００７】
なお，図２７は，上記縦目地８７の下端部周辺を前方（表面側）から見た状態を示す。図２７において，各外壁板８の後方部分の輪郭は，実際には前方から見えない部分であり，破線で表している。そして，符号ａ１〜ｃ１を付した破線で輪郭を示した外壁板の後方部分は，それぞれ符号ａ２〜ｃ２を付した実線で輪郭を示した外壁板の前方部分と一体的になっている。また，符号８ａ〜８ｃは，それぞれ，後方部分の輪郭ａ１〜ｃ１と前方部分の輪郭ａ２〜ｃ２とを有する外壁板を表す。
【０００８】
図２４，図２７に示すごとく，上記外壁施工構造８０においては，上記縦目地８７に雨水６が入り込むことがある。具体的には，上記縦目地８７に入り込んだ雨水６は，横下実８４０に打設されたコーキング材８９によって，左右方向（図２４，図２７においては右方）への移動が阻止され，外壁施工構造８０の内部への浸入が防止される。
そのため，上記雨水６は，上記縦目地８７を伝って下方へ流下する。そして，雨水６は，上記縦目地８７の下端部に配置された上記留め付け金具９の前方平板部９７へ達する。
【０００９】
上記前方平板部９７へ達した雨水６は，その流量が少ない場合には，その殆どが，上記縦目地８７の下方に存在する外壁板８の上部下実８１０に打設されたコーキング材８９を乗り越える。そして，雨水６は上記外壁板８の上辺部８１から前方へ排出される。
【００１０】
しかし，上記雨水６の流量が多いと，上記縦目地８７を伝って流下してきた雨水６の一部は，上記コーキング材８９を乗り越えることができない。即ち，上記外壁板８の下部上実８２０と上記コーキング材８９との間の隙間は，極めて狭いため，大量の雨水６がコーキング材８９を乗り越えることは困難である。
【００１１】
その結果，上記下側の外壁板８の上辺部８１において，雨水６の圧力が高まり，雨水６を左右方向へ流動させる力が働く。そのため，図２４，図２７に示すごとく，上記外壁板８の上部下実８１０におけるコーキング材８９に達した雨水６の一部は，該コーキング材８９に沿って左右へ流れる。そして，この雨水６は，外壁板８の裏側へ浸入するおそれがある。
【００１２】
また，上記縦目地８７から上記前方平板部９７へ流下してきた雨水６の一部は，図２４，図２７に示すごとく，上記前方平板部９７の前面を伝って左右に流れる。そして，留め付け金具９の側端部９９から下側の外壁板８の上辺部８１に流下し，更には，外壁板８の裏側へ浸入するおそれがある。
【００１３】
また，上記前方平板部９７を伝って左右に移動した雨水６の一部は，上記上板係止部９３を乗り越えて上記支承部９２の上，更にはその両側端部９９へと移動する。そして，この雨水６も，上記留め付け金具９の側端部９９から上記外壁板８の裏側へ浸入する。
これにより，上記外壁板８や下地材３の腐食，劣化を招くおそれがある。
【００１４】
本発明は，かかる従来の問題点に鑑みてなされたもので，漏水を確実に防止することができる外壁板，及びこれを用いた外壁施工構造を提供しようとするものである。
【００１５】
【課題の解決手段】
第１の発明は，上部下実，下部上実，横下実，及び横上実を有する四方合決り構造の外壁板において，
該外壁板は，上記上部下実の前面に，上方から流下してくる雨水を上記外壁板の前方へ導く排水凹陥部を設けてなり，
該排水凹陥部は，上記上部下実の基端部よりも下方まで形成されていることを特徴とする外壁板にある（請求項１）。
【００１６】
上記外壁板は，上記上部下実の前面に，上記排水凹陥部を設けてなる。そのため，上記外壁板の上方から流下してくる雨水を，上記排水凹陥部により受けることができる。そして，その雨水を前方へ導いて排出することができる。
このように，上記雨水を積極的に前方へ排出することができるため，多量の雨水が上記外壁板の上部下実に流下してきても，該外壁板の裏側面へ雨水が回り込むことを防ぐことができる。従って，上記外壁板を用いることにより，漏水を確実に防止することができる。
【００１７】
以上のごとく，本発明によれば，漏水を確実に防止することができる外壁板を提供することができる。
【００１８】
第２の発明は，上部下実，下部上実，横下実，及び横上実を有する四方合決り構造の外壁板を複数用いて，馬乗り目地状に施工してなる外壁施工構造において，
上記外壁板は，上記上部下実の前面に，上方から流下してくる雨水を上記外壁板の前方へ導く排水凹陥部を設けてなり，
かつ，左右に隣り合う外壁板の間に形成される縦目地の下方には，これら左右の外壁板の下側に配設される外壁板の上記排水凹陥部が配置されていることを特徴とする外壁施工構造にある（請求項３）。
【００１９】
上記外壁施工構造においては，上記縦目地の下方に，下側の外壁板の排水凹陥部が配置されている。そのため，上記縦目地を伝って流下してくる雨水を，上記外壁板の排水凹陥部によって受けることができる。そして，その雨水を前方へ導いて排出することができる。
このように，上記雨水を積極的に前方へ排出することができるため，多量の雨水が上記縦目地を伝って，下側の外壁板の上部下実に流下してきても，該外壁板の裏側面へ雨水が回り込むことを防ぐことができる。従って，上記外壁施工構造は，内部への漏水を確実に防止することができる。
【００２０】
以上のごとく，本発明によれば，漏水を確実に防止することができる外壁施工構造を提供することができる。
【００２１】
【発明の実施の形態】
上記第１の発明（請求項１）において，上記四方合決り構造の外壁板とは，上辺部に上部下実を，下辺部に下部上実を，左辺部に横上実を，右辺部に横下実をそれぞれ有する外壁板である（図１参照）。そして，下側の外壁板の上部下実に，上側の外壁板の下部上実を重ね，左側の外壁板の横下実に右側の外壁板の横上実を重ねて施工する。
【００２２】
また，上方から流下してくる雨水としては，例えば，上記外壁板の上側に配された隣合う２枚の外壁板の間に形成された，縦目地を伝って流下してくる雨水がある。
また，上記外壁板の前方とは，例えば，上記外壁板を建築物の構造躯体に施工した際に，建築物の外側を向く方向をいう。
【００２３】
また，上記上部下実は，その前面にコーキング材を打設してなり，かつ該コーキング材は，上記排水凹陥部の左右において途切れていることが好ましい（請求項２）。この場合には，上記コーキング材が雨水の排出を妨げることがなく，一層確実に，雨水を前方へ排出し，漏水を防ぐことができる。
【００２４】
また，上記排水凹陥部は，上記上部下実の基端部よりも下方まで形成されている。これにより，一層多量の雨水が，上記外壁板の上部下実に流下してきても，確実に雨水を前方へ排出し，漏水を防止することができる。
【００２５】
次に，上記第２の発明（請求項３）において，馬乗り目地状とは，外壁施工構造の上端から下端にかけて上記縦目地が一直線状に連続せず，例えば上記縦目地の左右位置が互い違いとなる状態をいう（図４参照）。
【００２６】
また，上記縦目地の下端部には，留め付けシール金具が配設してあり，
上記留め付けシール金具は，上記外壁板の裏側面に当接する基板部と，該基板部から前方へ水平方向に立設された中央水平立設部と，該中央水平立設部の前端から下方へ屈曲した下方屈曲部と，該下方屈曲部の左右において上記中央水平立設部の前端から斜め上方へ屈曲した上方屈曲部と，該上方屈曲部の上端から下方へ屈曲した前板部と，上記中央水平立設部の左右において上記基板部から前方へ水平方向に立設された支承部と，該支承部の前端から上方へ屈曲した上板係止部と，上記支承部の前端から下方へ屈曲した下板係止部と，上記上板係止部の先端から上記下板係止部の先端にかけて垂直方向に連設された連設部とを有し，更に，上記中央水平立設部の左右端部と上記上方屈曲部の上面，及び上記前板部の前面には，弾性材が配設されており，
また，上記留め付けシール金具は，上記基板部を上記外壁板の裏側面に当接させて，胴縁等の下地材に固定されており，
上記留め付けシール金具の下側に配置した上記外壁板は，上辺部を上記留め付けシール金具の下板係止部に係止させ，上側に配置した上記外壁板は，下辺部を上記留め付けシール金具の上記支承部に載置すると共に上記上板係止部に係止させてあり，
また，上記留め付けシール金具の上記弾性材は，上側の上記外壁板の下辺部に密着しており，
かつ，上記縦目地の下端部は，上記留め付けシール金具における上記左右の弾性材の間に配置されていることが好ましい（請求項４）。
【００２７】
この場合には，上記縦目地の下端部が，上記留め付けシール金具における上記左右の弾性材の間に配置されている。そのため，上記縦目地を伝って流下してくる雨水を上記左右の弾性材の間における上記中央水平立設部によって受けることができる。そして，この雨水を，上記下方屈曲部から，下側の外壁板の上記排水凹陥部へ確実に導くことができる。
【００２８】
また，上記中央水平立設部の左右端部と上記上方屈曲部の上面，及び上記前板部の前面に配設された弾性材は，上記留め付けシール金具の上側に配置する外壁板の下辺部に密着している。それ故，上記中央水平立設部に流下した雨水を，左右の上記弾性材により堰き止め，外壁施工構造の内部への浸入を確実に防ぐことができる。そして，堰き止められた雨水を，上記下方屈曲部から上記排水凹陥部へ導き，外壁前方へ積極的に排出することができる。
【００２９】
また，上記留め付けシール金具は上記下地材に固定され，下方に配置した上記外壁板は，上辺部を上記留め付けシール金具の下板係止部に係止させ，上方に配置した上記外壁板は，下辺部を上記留め付けシール金具の上記支承部に載置すると共に上記上板係止部に係止させてある。
これにより，上記留め付けシール金具によって，上記外壁板を胴縁等の下地材に，容易かつ確実に留め付けることができる。
【００３０】
即ち，上記留め付けシール金具は，漏水防止と，外壁板の留め付けとの双方の機能を有する。そのため，上記留め付けシール金具を用いることにより，漏水を防ぐ外壁施工構造を容易かつ安価に施工することができる。
【００３１】
また，上記弾性材は，弾力性があり，かつ防水性のあるものである。
また，本明細書においては，「前」とは建築物の外側方向を，「後」とは建築物の内側方向をいう。そして，上記留め付けシール金具等に関しては，下地材に取付けた状態を基準として，「前」，「後」，「上」，「下」，「水平」，「垂直」等の表現を用いる。
【００３２】
また，上記前板部は，上記連設部よりも後方に配置されていることが好ましい。これにより，上記外壁板の下部上実を，上記前板部の前面に配設した上記弾性材に密着させると共に，上記連設部にも確実に当接させることができる。そのため，上記留め付けシール金具は，上記外壁板を安定して留め付けることができる。
【００３３】
また，上記留め付けシール金具は，上記弾性材を，上記中央水平立設部の上方の基板部にも延設してなり，該弾性材は，上記外壁板の裏側面に密着していることが好ましい（請求項５）。この場合には，上記弾性材が上記外壁板の裏側面にも密着し，雨水が上記外壁板の裏側面から外壁施工構造の内部へ浸入することを防ぐことができる。
【００３４】
また，上記縦目地の上端部には，留め付けストッパー金具が配置されており，該留め付けストッパー金具は，上記外壁板の裏側面に当接する基板部と，該基板部の前方に水平方向に立設された支承部と，該支承部の前端部から斜め上方へ屈曲した上板係止部と，上記支承部の前端部から斜め下方へ屈曲した下板係止部と，上記支承部よりも下方の上記基板部から前方に垂直方向に立設された垂直立設部とを有し，
また，上記留め付けストッパー金具は，上記基板部を上記外壁板の裏側面に当接させて，上記下地材に固定されており，
上記留め付けストッパー金具の下方に配置した上記外壁板は，上辺部を上記留め付けストッパー金具の下板係止部に係止させ，上側に配置した上記外壁板は，下辺部を上記留め付けストッパー金具の上記支承部に載置すると共に上記上板係止部に係止させてあり，
かつ，上記垂直立設部には，下側の外壁板の側端面が当接していることが好ましい（請求項６）。
【００３５】
この場合には，上記外壁板を一層正確に施工することができる。即ち，上記留め付けストッパー金具における垂直立設部により，上記留め付けストッパー金具の下側の外壁板が左右にずれることを防ぐことができる。
【００３６】
また，上記外壁板は，上記上部下実の前面にコーキング材を打設してなり，かつ該コーキング材は，上記排水凹陥部の左右において途切れていることが好ましい（請求項７）。この場合には，上記コーキング材が雨水の排出を妨げることがなく，一層確実に，雨水を前方へ排出し，漏水を防ぐことができる。
【００３７】
また，上記外壁板の排水凹陥部は，上記上部下実の基端部よりも下方まで形成されていることが好ましい（請求項８）。この場合には，一層多量の雨水が，上記外壁板の上部下実に流下してきても，確実に雨水を前方へ排出し，漏水を防止することができる。
【００３８】
【実施例】
（実施例１）
本発明の実施例に係る外壁板及び外壁施工構造につき，図１〜図２０を用いて説明する。
本例の外壁板１は，図１〜図３に示すごとく，上部下実１１０，下部上実１２０，横下実１４０，及び横上実１３０を有する四方合決り構造の外壁板である。
該外壁板１は，上記上部下実１１０の前面に，上方から流下してくる雨水６を上記外壁板１の前方へ導く排水凹陥部１５を設けてなる。
【００３９】
上記四方合決り構造の外壁板１は，図１に示すごとく，上辺部１１に上部下実１１０を，下辺部１２に下部上実１２０を，左辺部１３に横上実１３０を，右辺部１４に横下実１４０をそれぞれ有する。そして，図５に示すごとく，下側の外壁板１の上部下実１１０に，上側の外壁板１の下部上実１２０を重ね，左側の外壁板１の横下実１４０に右側の外壁板１の横上実１３０を重ねて施工する。
【００４０】
図１〜図３に示すごとく，上記上部下実１１０は，その前面にコーキング材１９を打設してなり，かつ該コーキング材１９は，上記排水凹陥部１５の左右において途切れている。
また，図１に示すごとく，横下実１４０の前面にも，コーキング材１９を打設してある。そして，上記上部下実１１０に打設したコーキング材１９の上から上側の外壁板１の下部上実１２０が重なり，上記横下実１４０に打設したコーキング材１９の上から右側の外壁板１の横上実１３０が重なり，上記コーキング材１９を押圧する（図５）。
【００４１】
また，図１〜図３に示すごとく，上記排水凹陥部１５は，上記上部下実１１０の基端部１１１よりも下方まで形成されている。即ち，上記排水凹陥部１５は，上記上部下実１１０の前面における上端部１１２から基端部１１１まで形成されていると共に，該基端部１１１から意匠面１８まで連続して形成されている。
【００４２】
具体的には，上記上部下実１１０の前面を切り欠いた楔形状の溝１５１と，上部下実１１０の基端部から意匠面１８へ向かって切り欠いた楔形状の溝１５２とが連結して，上記排水凹陥部１５を構成している。そして，上記二つの楔形状の溝は，それぞれ，前方下方へ傾斜している。
なお，上記排水凹陥部１５の形状は，上記の形状に特に限定されず，上方から流下してくる雨水６を外壁板１の前方へ導くことができる形状であればよい。
【００４３】
次に，上記外壁板１を用いた外壁施工構造７につき説明する。
図４〜図６に示すごとく，上記外壁施工構造７は，上記外壁板１を複数用いて，馬乗り目地状に施工してなる。
そして，左右に隣り合う外壁板１の間に形成される縦目地１７の下方には，これら左右の外壁板１の下側に配設される外壁板１の上記排水凹陥部１５が配置されている。
【００４４】
上記馬乗り目地状とは，外壁施工構造７の上端から下端にかけて上記縦目地１７が一直線状に連続せず，例えば図４に示すごとく，上記縦目地１７の左右位置が互い違いとなる状態をいう。
【００４５】
図４〜図６に示すごとく，上記縦目地１７の下端部１７１には，留め付けシール金具２が配設してある。
該留め付けシール金具２は，図７〜図１１に示すごとく，下記の基板部２１，中央水平立設部２２，下方屈曲部２２１，上方屈曲部２２２，前板部２２３，支承部２３，上板係止部２３１，下板係止部２３２，及び連設部２３３を有する。
【００４６】
上記基板部２１は，図１２〜図１６に示すごとく，胴縁等の下地材３に固定されると共に上記外壁板１の裏側面１６に当接する部分である。そして，図７〜図１１に示すごとく，該基板部２１から前方へ水平方向に，上記中央水平立設部２２が立設されている。また，該中央水平立設部２２の前端から下方へ，上記下方屈曲部２２１が屈曲形成され，該下方屈曲部２２１の左右において上記中央水平立設部２２の前端から斜め上方へ上方屈曲部２２２が屈曲形成されている。更に，該上方屈曲部２２２の上端から下方へ，上記前板部２２３が屈曲形成されている。
【００４７】
上記中央水平立設部２２の左右においては，上記基板部２１から前方へ水平方向に上記支承部２３が立設されている。また，上記上板係止部２３１は，上記支承部２３の前端から上方へ屈曲形成され，上記下板係止部２３２は，上記支承部２３の前端から下方へ屈曲形成されている。
【００４８】
また，上記連設部２３３は，上記上板係止部２３１の先端から上記下板係止部２３２の先端にかけて垂直方向に連設されている。
そして，上記中央水平立設部２２の左右端部と上記上方屈曲部１３１の上面，及び上記前板部１３３の前面には，弾性材２４が配設されている。
左右の弾性材２４の間には，約２０ｍｍの間隔が設けてある。
【００４９】
図７〜図１１に示すごとく，上記基板部２１は，その上端部において斜め後方に屈曲した上方斜面部２１２と，該上方斜面部２１２から上記基板部２１と略平行となるよう屈曲形成された上方脚部２１１とを有する。また，上記基板部２１は，その下端部において略９０°後方に屈曲形成された下方脚部２１９を有する。図１２〜図１４に示すごとく，上記上方脚部２１１の後面及び上記下方脚部２１９の後端部は下地材３に当接される。
【００５０】
これにより，上記基板部２１のうち上記外壁板１の裏側面１６に当接する板当接面２１８は，上記下地材３から約５ｍｍ前方に配置される。
なお，上記上方斜面部２１２には，釘穴２８が３箇所に形成されており，該釘穴２８に釘を通して上記留め付けシール金具２を下地材３に釘打ち固定することもできる。
【００５１】
また，図７，図９，図１１に示すごとく，上記留め付けシール金具２における上記前板部２２３は，上記連設部２３３よりも約０．８ｍｍ程度後方に配置されている。
また，上記弾性材２４は，上記中央水平立設部２２の上方の基板部２１にも延設されている。また，上記基板部２１のうち上記弾性材２４を配設する弾性材配設面２１７は，上記板当接面２１８よりも約１．５ｍｍ程度後方に形成されている。
【００５２】
また，上記弾性材２４は，弾力性があり，かつ防水性のあるものである。
具体的には，上記弾性材２４はゴム弾性発現体または発泡体である。上記ゴム弾性発現体または発泡体としては，例えば，エチレンゴムやＥＰＤＭ（エチレン・プロピレンゴム）等からなるゴム発泡体，或いはポリエチレン等の合成樹脂発泡体等がある。また，上記弾性材２４は，独立気泡の発泡体であることが好ましい。
【００５３】
また，図７，図１０（Ｂ），（Ｃ）に示すごとく，上記基板部２１は，上記板当接面２１８よりも後退した凹陥部２１３を有する。該凹陥部２１３には，上記留め付けシール金具２を下地材３に固定するためのビス４を挿通するビス穴２１４が，３箇所に設けてある。該ビス穴２１４の下側には上記凹陥部２１３から前方下方へ突出した傾斜部２１５が設けてある。これにより，図１７（Ａ），（Ｂ）に示すごとく，上記ビス穴２１４に挿通した上記ビス４を，矢印Ｘの方向へねじ込む際に，該ビス４の頭部４１が上記傾斜部２１５に当接し，上記留め付けシール金具２を下方（矢印Ｙ）へ押す力が働くよう構成されている。
【００５４】
また，上記留め付けシール金具２は，厚み約０．８ｍｍのステンレス鋼板を折り曲げ加工することにより一体的に形成してある。そして，上記支承部２２は，２枚のステンレス鋼板が重ね合わされるように構成されており，部分的にスポット溶接されることで補強される。
【００５５】
また，図７，図８に示すごとく，上記支承部２３の上下における基板部２１の左右端部には，１ｍｍ程度後方に後退した補強用のリブ２１６が形成されている。また，上記上方脚部２１１と上方斜面部２１２との間にも，補強用のリブ２１ａが形成されている。また，図８に示すごとく，上記中央水平立設部２２の基端部の両側には，折曲げ用の切込２２７が形成されている。
【００５６】
図６，図１２〜図１６に示すごとく，上記留め付けシール金具２は，上記基板部２１を上記外壁板１の裏側面１６に当接させて，胴縁等の下地材３に固定されている。
図６，図１２に示すごとく，上記留め付けシール金具２の下側に配置した上記外壁板１は，上辺部１１を上記留め付けシール金具２の下板係止部２３２に係止させている。また，上側に配置した上記外壁板１は，下辺部１２を上記留め付けシール金具２の上記支承部２２に載置すると共に上記上板係止部２３１に係止させてある。
【００５７】
また，図１３，図１４に示すごとく，上記留め付けシール金具２の上記弾性材２４は，上側の上記外壁板１の下辺部１２に密着している。
また，図６，図１８に示すごとく，上記縦目地１７の下端部１７１は，上記留め付けシール金具２における上記左右の弾性材２４の間に配置されている。
【００５８】
図１８は，図１６のＪ−Ｊ線矢視断面相当の外壁施工構造７の断面図である。また，図１８における二点鎖線は各外壁板１の前方部分（意匠面）の輪郭を表す。そして，符号ａ２〜ｃ２を付した二点鎖線で輪郭を示した外壁板１の前方部分は，それぞれ符号ａ１〜ｃ１を付した実線で輪郭を示した外壁板１の後方部分と一体的になっている。また，符号１ａ，１ｂ，１ｃは，基準となる留め付けシール金具２の，それぞれ下方，左上方，右上方に配置される外壁板を表す。即ち，外壁板１ａ〜１ｃは，それぞれ，後方部分の輪郭ａ１〜ｃ１と前方部分の輪郭ａ２〜ｃ２とを有する外壁板である。
【００５９】
また，図６，図１３，図１４に示すごとく，上記留め付けシール金具２は，上記弾性材２４を，上記中央水平立設部２２の上方の基板部２１にも延設してなり，該弾性材２４は，上記外壁板１の裏側面１６に密着している。
【００６０】
図４，図５，図２０に示すごとく，上記縦目地１７の上端部１７２には，留め付けストッパー金具５が配置されている。図１９に示すごとく，該留め付けストッパー金具５は，上記外壁板１の裏側面１６に当接する基板部５１と，該基板部５１の前方に水平方向に立設された支承部５２と，該支承部５２の前端部から斜め上方へ屈曲した上板係止部５３と，上記支承部５２の前端部から斜め下方へ屈曲した下板係止部５４と，上記支承部５２よりも下方の上記基板部５１から前方に垂直方向に立設された垂直立設部５５とを有する。
【００６１】
また，上記留め付けストッパー金具５は，上記留め付けシール金具２と同様に，上方斜面部５１２，上方脚部５１１，下方脚部５１９を有し，上記基板部５１の板当接部５１８を下地材３から約５ｍｍ前方に配置できるよう構成されている。
【００６２】
また，図２０に示すごとく，上記留め付けストッパー金具５は，上記基板部５１を上記外壁板１の裏側面１６に当接させて，上記下地材３に固定されている。
図５，図２０に示すごとく，上記留め付けストッパー金具５の下方に配置した上記外壁板１は，上辺部１１を上記留め付けストッパー金具５の下板係止部５４に係止させている。また，上方に配置した上記外壁板１は，下辺部１２を上記留め付けストッパー金具５の上記支承部５２に載置すると共に上記上板係止部５３に係止させてある。
図２０に示すごとく，上記垂直立設部５５には，下側の外壁板１の右辺部１４が当接している。
【００６３】
次に，本例の作用効果につき説明する。
図１〜図３に示すごとく，上記外壁板１は，上記上部下実１１０の前面に，上記排水凹陥部１５を設けてなる。そのため，図６，図１８に示すごとく，上記外壁板１の上方から流下してくる雨水６を，上記排水凹陥部１５により受けることができる。そして，その雨水６を前方へ導いて排出することができる。
【００６４】
このように，上記雨水６を積極的に前方へ排出することができるため，多量の雨水６が上記外壁板１の上部下実１１０に流下してきても，該外壁板１の裏側面１６へ雨水６が回り込むことを防ぐことができる。従って，上記外壁板１を用いることにより，漏水を確実に防止することができる。
【００６５】
また，図４〜図６，図１８に示すごとく，上記外壁施工構造７においては，上記縦目地１７の下方に，下側の外壁板１の排水凹陥部１５が配置されている。そのため，上記縦目地１７を伝って流下してくる雨水６を，上記外壁板１の排水凹陥部１５によって受けることができる。そして，その雨水６を前方へ導いて排出することができる。
【００６６】
このように，上記雨水６を積極的に前方へ排出することができるため，多量の雨水６が上記縦目地１７を伝って，下側の外壁板１の上部下実１１０に流下してきても，該外壁板１の裏側面１６へ雨水６が回り込むことを防ぐことができる。従って，上記外壁施工構造７は，内部への漏水を確実に防止することができる。
【００６７】
また，図１〜図３に示すごとく，上記上部下実１１０は，その前面にコーキング材１９を打設してなり，かつ該コーキング材１９は，上記排水凹陥部１５の左右において途切れている。そのため，図１４，図１８に示すごとく，上記コーキング材１９が雨水６の排出を妨げることがなく，一層確実に，雨水６を前方へ排出し，漏水を防ぐことができる。
【００６８】
また，図１〜図３，図１４に示すごとく，上記排水凹陥部１５は，上記上部下実１１０の基端部１１１よりも下方まで形成されている。これにより，一層多量の雨水６が，上記外壁板１の上部下実１１０に流下してきても，確実に雨水６を前方へ排出し，漏水を防止することができる。
【００６９】
また，図６，図１８に示すごとく，上記外壁施工構造７においては，上記縦目地１７の下端部１７１が，上記留め付けシール金具２における上記左右の弾性材２４の間に配置されている。そのため，上記縦目地１７を伝って流下してくる雨水６を上記左右の弾性材２４の間における上記中央水平立設部２２によって受けることができる。そして，この雨水６を，上記下方屈曲部２２１から，下側の外壁板１の上記排水凹陥部１５へ確実に導くことができる。
【００７０】
また，図６，図１３，図１４に示すごとく，上記中央水平立設部２２の左右端部と上記上方屈曲部２２２の上面，及び上記前板部２２３の前面に配設された弾性材２４は，上記留め付けシール金具２の上側に配置する外壁板１の下辺部１２に密着している。それ故，上記中央水平立設部２２に流下した雨水６を，左右の上記弾性材２４により堰き止め，外壁施工構造７の内部への浸入を確実に防ぐことができる。そして，堰き止められた雨水６を，上記下方屈曲部２２１から上記排水凹陥部１５へ導き，外壁前方へ積極的に排出することができる（図６，図１８）。
【００７１】
また，図１２に示すごとく，上記留め付けシール金具２は上記下地材３に固定され，下方に配置した上記外壁板１は，上辺部１１を上記留め付けシール金具２の下板係止部２３２に係止させ，上方に配置した上記外壁板１は，下辺部１２を上記留め付けシール金具２の上記支承部２３に載置すると共に上記上板係止部２３１に係止させてある。
これにより，上記留め付けシール金具２によって，上記外壁板１を胴縁等の下地材３に，容易かつ確実に留め付けることができる。
【００７２】
即ち，上記留め付けシール金具２は，雨水６の浸入防止と，外壁板１の留め付けとの双方の機能を有する。そのため，上記留め付けシール金具２を用いることにより，漏水を防ぐ外壁施工構造７を容易かつ安価に施工することができる。
【００７３】
また，図７，図９，図１１に示すごとく，上記留め付けシール金具２の前板部２２３は，上記連設部２３３よりも後方に配置されている。これにより，上記外壁板１の下辺部１２を，図１３に示すごとく，上記前板部２２３の前面に配設した上記弾性材２４に密着させると共に，図１２に示すごとく，上記連設部２３３にも確実に当接させることができる。そのため，上記留め付けシール金具２は，上記外壁板１を安定して留め付けることができる。
【００７４】
また，上記外壁施工構造７においては，上記留め付けストッパー金具５を上記のごとく配設している（図１９，図２０）。これにより，上記外壁板１を一層正確に施工することができる。即ち，上記留め付けストッパー金具５における垂直立設部５５により，上記留め付けストッパー金具５の下側の外壁板１が左右にずれることを防ぐことができる。
【００７５】
また，上記弾性材２４はゴム弾性発現体または発泡体であるため，一層確実に雨水６の浸入を防ぐことができる。
また，上記留め付けシール金具２は，ステンレス鋼板を折り曲げ加工することにより一体的に形成してなるため，製造容易であり，また安価である。
【００７６】
また，上記基板部２１における上記凹陥部２１３に設けたビス穴２１４の下側には，上記傾斜部２１５が設けてある。そして，図１７に示すごとく，上記ビス穴２１４に挿通した上記ビス４をねじ込む際に，該ビス４の頭部４１が上記傾斜部２１５に当接し，上記留め付けシール金具２を下方へ押す力が働くよう構成されている。
【００７７】
即ち，上記留め付けシール金具２を下地材３に固定するに当っては，図１７に示すごとく，ビス穴２１４にビス４を挿通し，上記下地材３にねじ込む。
このビス４のねじ込みの最終段階において，図１７（Ａ）に示すごとく，上記ビス４の頭部４１が上記傾斜部２１３に当接する。この状態から更に上記ビス４を，矢印Ｘが示す水平方向へねじ込むことにより，上記留め付けシール金具２を下方へ押す力（矢印Ｙ）が作用する。これにより，図１７（Ｂ）に示すごとく，上記留め付けシール金具２の下板係止部２３２が下側の外壁板１の上辺部１１を押圧する。
このように，上記留め付けシール金具２によって，下側の外壁板１を下地材３に一層確実に固定することができる。
【００７８】
以上のごとく，本例によれば，漏水を確実に防止することができる外壁板及び外壁施工構造を提供することができる。
【００７９】
（実施例２）
本例は，図２１に示すごとく，中央水平立設部２２の全幅にわたって，その上方の基板部２１に弾性材２４を配設した留め付けシール金具２０を用いた例である。
この場合には，その上側に配設する外壁板の裏側面に，上記弾性材２４が密着する。
その他は，実施例１と同様である。
【００８０】
本例によれば，上記水平立設部２２に達した雨水が外壁板の裏側へ浸入することを一層確実に防ぐことができる。
その他は，実施例１と同様の作用効果を有する。
【図面の簡単な説明】
【図１】実施例１における，外壁板の斜視図。
【図２】実施例１における，排水凹陥部の上面図。
【図３】実施例１における，排水凹陥部の正面図。
【図４】実施例１における，外壁施工構造の正面図。
【図５】実施例１における，外壁施工構造の一部の正面図。
【図６】実施例１における，外壁施工構造の斜視図。
【図７】実施例１における，留め付けシール金具の斜視図。
【図８】実施例１における，留め付けシール金具の正面図。
【図９】実施例１における，留め付けシール金具の底面図。
【図１０】（Ａ）図８のＡ−Ａ線矢視断面図，（Ｂ）図８のＢ−Ｂ線矢視断面図，（Ｃ）図８のＣ−Ｃ線矢視断面図。
【図１１】図８のＤ−Ｄ線矢視断面図。
【図１２】図６のＦ−Ｆ線矢視断面図。
【図１３】図６のＧ−Ｇ線矢視断面図。
【図１４】図６のＨ−Ｈ線矢視断面図。
【図１５】図６のＥ−Ｅ線矢視断面相当において，上側の外壁板を取り去った状態を示す外壁施工構造の断面説明図。
【図１６】図６のＥ−Ｅ線矢視断面図。
【図１７】実施例１における，留め付けシール金具に設けた傾斜部の機能の説明図であって，（Ａ）ビスのねじ込み完了直前の状態を表す説明図，（Ｂ）ビスのねじ込み完了後の状態を表す説明図。
【図１８】実施例１における，図１６のＪ−Ｊ線矢視断面相当の，雨水の流れの説明図。
【図１９】実施例１における，留め付けストッパー金具の斜視図。
【図２０】実施例１における，留め付けストッパー金具により左下の外壁板を留め付けた状態を示す外壁施工構造の斜視図。
【図２１】実施例２における，留め付けシール金具の斜視図。
【図２２】従来例における，外壁施工構造の正面図。
【図２３】従来例における，外壁施工構造の一部の正面図。
【図２４】従来例における，外壁施工構造の斜視図。
【図２５】従来例における，外壁板の斜視図。
【図２６】従来例における，留め付け金具の斜視図。
【図２７】従来例における，留め付け金具の周辺の雨水の流れを説明する斜視説明図。
【符号の説明】
１．．．外壁板，
１１０．．．上部下実，
１２０．．．下部上実，
１３０．．．横上実，
１４０．．．横下実，
１５．．．排水凹陥部，
１７．．．縦目地，
２，２０．．．留め付けシール金具，
３．．．下地材，
５．．．留め付けストッパー金具，
６．．．雨水，
７．．．外壁施工構造，
【図１】
0003624862.tif 000002
【図２】
0003624862.tif 000003
【図３】
0003624862.tif 000004
【図４】
0003624862.tif 000005
【図５】
0003624862.tif 000006
【図６】
0003624862.tif 000007
【図７】
0003624862.tif 000008
【図８】
0003624862.tif 000009
【図９】
0003624862.tif 000010
【図１０】
0003624862.tif 000011
【図１１】
0003624862.tif 000012
【図１２】
0003624862.tif 000013
【図１３】
0003624862.tif 000014
【図１４】
0003624862.tif 000015
【図１５】
0003624862.tif 000016
【図１６】
0003624862.tif 000017
【図１７】
0003624862.tif 000018
【図１８】
0003624862.tif 000019
【図１９】
0003624862.tif 000020
【図２０】
0003624862.tif 000021
【図２１】
0003624862.tif 000022
【図２２】
0003624862.tif 000023
【図２３】
0003624862.tif 000024
【図２４】
0003624862.tif 000025
【図２５】
0003624862.tif 000026
【図２６】
0003624862.tif 000027
【図２７】
0003624862.tif 000028